(57)【特許請求の範囲】
【請求項１】
美容液と圧力気体が内蔵された容器が備えられ、前記容器には美容液と圧力気体が排出される排出管が設置されて、前記排出管の上部には排出管を開閉する開閉部が結合されているボディー部と、前記ボディー部の上部に結合され、前記開閉部と結合される排出口が内部に貫通して形成されて、前記排出口の上部に美容液の水分と反応して水素を発生させる水素発生部及び水素含有美容液と圧力気体を皮膚に均等に分散させる多孔性パッドが備えられ、前記多孔性パッドの周りには水素含有美容液と圧力気体が抜け出ないようにする密閉膜が備えられているヘッド部と、で構成されて、前記開閉部が開かれると内蔵された圧力気体及び美容液が容器外に排出されて、排出された美容液が前記水素発生部を通過しながら水素を発生させて美容液と共に排出することを特徴とする、水素発生部を有する美容器具。
【請求項２】
前記圧力気体は、美容液を容器外部に排出させるもので、頭皮、毛髪、皮膚の活性化と皮膚機能改善に有益で、人体に無害な水素、二酸化炭素、酸素、窒素のうち少なくとも一つ以上選択されたことを特徴とする、請求項１に記載の水素発生部を有する美容器具。
【請求項３】
前記水素発生部は、Ｍｇ、ＭｇＯ、ＭｇＯＨ、２Ａｌ＋Ｃａ（ＯＨ）２のうち少なくとも一つ以上含まれて構成されることを特徴とする、請求項１に記載の水素発生部を有する美容器具。
【請求項４】
前記多孔性パッドの上部に脱付着し易く設置されて種々の汚染から保護して、頭皮、毛髪、皮膚との摩擦力を減らして、ユーザーが感じる感触を向上させる保護カバーを備えることを特徴とする、請求項１に記載の水素発生部を有する美容器具。
【請求項５】
前記水素発生部下部には、圧力を均等に分散させる圧力分散パッドが備えられることを特徴とする、請求項１に記載の水素発生部を有する美容器具。
【請求項６】
前記ボディー部には、皮膚を刺激する振動を発生させる振動部が備えられることを特徴とする、請求項１に記載の水素発生部を有する美容器具。
【請求項７】
前記多孔性パッドには、微細突起が形成されていることを特徴とする、請求項１に記載の水素発生部を有する美容器具。
【発明の詳細な説明】
【技術分野】
【０００１】
本発明は、水素発生部を有する美容器具に関し、より詳しくはヘッド部とボディー部で構成された美容マッサージ機において、ボディー部に美容液及び圧力気体を内蔵して、美容液が排出されながらヘッド部に備えられた水素発生部で水素を発生させて美容液と共に水素を供給しながらマッサージすることを特徴とする水素発生部を有する美容器具に関する。
【背景技術】
【０００２】
皮膚と頭皮、毛髪などの損傷と治療に多くの機構的かつ大衆的療法が多く使われている。人体の最終的な防御手段として皮膚、頭皮、毛髪は、外部刺激、すなわち紫外線、生体反応、活性酸素、ストレス、各種汚染水分に持続的に曝されていて、我々が症状を認知する瞬間、起きる瞬間的な損傷ではなく長期間にかけて累積する変化が症状として現れる。このような外部の刺激や細胞代謝作用による活性酸素露出は、細胞を老化させて、皮膚変化や疾患、脱毛、癌や種々の腫瘍を誘発して、正常細胞を攻撃して様々な病気を作る。
【０００３】
このような頭皮、毛髪、皮膚などに使われる製品は、表皮の角質層、透明層、有棘層、顆粒層、基底層を経て真皮の毛細血管に吸収される表皮吸収（ｔｒａｎｓｅｐｉｄｅｒｍａｌ  ａｂｓｏｒｐｔｉｏｎ）や表皮膜細胞、汗腺、皮脂腺、リンパ腺を経て吸収される皮膚付属機関（ｐｉｌｏｓｅｂａｃｅｏｕｓ  ａｂｓｏｒｐｔｉｏｎ）などの経路を経るので、有効性分の吸収に時間がかかって角質層の厚さや密度が異なるなどの多くの変数があるため、ユーザーの便利性が落ちる。
【０００４】
従来の方法皮膚に塗ったり散布する美容液、微細針(ニードル)を利用して、頭皮や皮膚に微細な傷を作って傷の中に浸透させる方法、食べるタイプのビタミン剤、コラーゲン、抗酸化剤類や水分中の溶存する水素を飲んだり塗ったりする方法など皮膚に直間接に使用して抗酸化効果を有する方法などがあるが、頭皮、毛髪、皮膚などに伝達力が不足して、直接的に作用をするのに難しい問題点を解決しようと頭皮、毛髪、皮膚に直接栄養分を供給するための製品が提案されている。
【０００５】
大韓民国公開特許公報第１０−２０１１−００６６７２２号の「経皮投与薬品伝達皮膚マッサージ機」は、本体と、前記本体の一側に形成されて、皮膚に接触して皮膚をマッサージするヘッド部材と、前記本体に設置されて、前記ヘッド部材を介して皮膚または皮膚細胞の細胞刺激のために振動を発生させる振動発振器と、前記振動発振器に電源を供給する電源供給部と、前記ヘッド部材に形成されてマッサージ時に皮膚に塗布される塗布剤をヘッド部材の移動方向に沿って移動させることができる塗布剤ガイドを備えて構成されたものであり、大韓民国公開特許公報第１０−２０１０−００１９１８１号の「加圧式酸素発生部を備えた皮膚美容器」は、筐体の内部に設置されたコンプレッサーによって流入した空気を浄化させる１次フィルターと、前記コンプレッサーから供給された空気から酸素を分離するための酸素発生手段と、酸素発生手段によって生成された酸素が保存される酸素タンクと、前記酸素タンクの保存された酸素を浄化させる２次フィルターが形成された本体と、前記２次フィルターに連結されて内側に設置された第２のソレノイドバルブと、第２のソレノイドバルブから排出される酸素をハンドピースの下方に噴射するための酸素噴射ノズルと、ハンドピースの底面に固定させた熱伝モジュールと、熱伝モジュールに供給される電源の電極を設定時間間隔で制御するためのコントローラーがハンドピースまたは筐体のうちいずれか一つに設置されることを特徴とする内容が提案されている。
【先行技術文献】
【特許文献】
【０００６】
【特許文献１】韓国公開特許第１０−２０１１−００６６７２２号公報
【特許文献２】韓国公開特許第１０−２０１０−００１９１８１号公報
【発明の概要】
【発明が解決しようとする課題】
【０００７】
本発明の目的は、前記問題点を解決するためのもので、速い時間に十分な水素を作って美容液と結合させて、抗酸化機能と美容液の付加機能を容易かつ速く発揮できるように皮膚、頭皮などに塗りながらマッサージして吸収が速く美容効果を増進させることができる水素発生部を有する美容器具を提供することである。
【課題を解決するための手段】
【０００８】
本発明によると、美容液と圧力気体が内蔵された容器が備えられ、前記容器には美容液と圧力気体が排出される排出管が設置され、前記排出管の上部には排出管を開閉する開閉部が結合されているボディー部と、前記ボディー部の上部に結合され、前記開閉部と結合される排出口が内部に貫通して形成され、前記排出口の上部に美容液の水分と反応して水素を発生させる水素発生部及び水素含有美容液と圧力気体を皮膚に万遍なく分散させる多孔性パッドが備えられ、前記多孔性パッドの周辺には美容液と気体が抜け出ないようにする密閉膜が備えられているヘッド部と、で構成されて、前記開閉部が開くと内蔵された圧力気体及び美容液が容器外に排出され、排出された美容液が前記水素発生部を通過しながら水素を発生させて美容液と共に排出することを特徴とする。
【０００９】
前記圧力気体は頭皮、毛髪、皮膚の活性化と皮膚機能改善に有益で、美容液を容器外部に排出させるもので、人体に無害な水素、二酸化炭素、酸素、水素、窒素のうち少なくとも一つ以上選択されるのが好ましい。
【００１０】  前記水素発生部は、Ｍｇ、ＭｇＯ、ＭｇＯＨ、２Ａｌ＋Ｃａ（ＯＨ）２のうち少なくとも一つ以上含まれて構成されるのが好ましい。【００１１】
前記多孔性パッドの上部に脱付着し易く設置されて様々な汚染から保護して頭皮、毛髪、皮膚との摩擦力を減らしてユーザーが感じる感触を向上させる保護カバーを備えるのが好ましい。
【００１２】
前記水素発生部の下部には圧力を均等に分散させる圧力分散パッドが備えられるのが好ましい。
【００１３】
前記ボディー部には皮膚を刺激する振動を発生させる振動部が備えられるのが好ましい。
【００１４】
前記多孔性パッドには微細突起が形成されているのが好ましい。
【発明の効果】
【００１５】
本発明に係る水素発生部を有する美容器具は、美容液を内蔵している容器内部に体に無害で美容液の活性化に役に立つ圧力気体を利用して美容液を容器から排出させて、排出された美容液の水分と反応して水素を発生させる水素発生部を含んで構成され、水素を含有する美容液及び圧力気体を頭皮、毛髪、皮膚に多孔性パッドの均等な分散力と振動刺激及び水素を含有する美容液及び圧力気体が密閉膜の外に抜け出るのを防止して、吸収し易いように構成したことを特徴とし、頭皮、毛髪、皮膚の活性化させる圧力気体と水素含有美容液組成物を頭皮、毛髪、皮膚に使って美容液の有用成分を十分に供給できる効果がある。
【図面の簡単な説明】
【００１６】
【図１】本発明の好ましい実施形態に係る美容器具の斜視図である。
【図２】本発明の好ましい実施形態に係る美容器具の分離斜視図である。
【図３】本発明の好ましい実施形態に係る断面図である。
【図４】本発明の好ましい実施形態に係る使用状態図である。
【発明を実施するための形態】
【００１７】
以下では、本発明の具体的な実施形態を図面と共に詳細に説明する。しかし、本発明は、本発明の思想が提示される実施形態に制限されるのではなく、他の構成要素の追加、変更、削除などによって退歩的な他の発明や本発明の思想範囲内に含まれる他の実施形態を容易に提案することができる。
【００１８】
添付された図１は、本発明の好ましい実施形態に係る美容器具の斜視図であり、図２は、本発明の好ましい実施形態に係る美容器具の分離斜視図であり、図３は、本発明の好ましい実施形態に係る断面図である。本発明に係る水素発生部を有する美容器具１００は、前記添付図面に示したように、ボディー部４０とヘッド部１０で構成されて、ボディー部４０は、美容液５２と圧力気体５４が内蔵された容器５０が備えられ、前記容器５０には美容液５２と圧力気体５４が排出される排出管５６が設置され、前記排出管５６の上部には前記排出管５６を開閉する開閉部５８が結合されている構成であり、ヘッド部１０は、前記ボディー部４０の上部に結合され、前記開閉部５８と結合される排出口１２が内部に貫通して形成されて、前記排出口１２の上部に水素発生部１８が備えられ、皮膚に接触して吸収を助ける多孔性パッド２０が備えられ、前記多孔性パッド２０の周りには水素を含んだ圧力気体と水素含有美容液が皮膚に吸収される前に揮発されたり流れるのを防止する伸縮性のある密閉膜２４が備えられて構成される。
【００１９】
前記容器５０には、頭皮、皮膚、毛髪などに使われる水分を含んだ美容液５２が内蔵される。本発明で美容液５２とは、皮膚機能向上及び改善液、頭皮機能向上及び改善液、毛髪機能向上及び改善液、様々な浸透液、様々な治療液などを含む。
また、前記容器５０には、美容液５２を容器外部に排出できるように圧力気体５４が備えられる。前記圧力気体５４は、頭皮、皮膚、毛髪などに使っても安全な水素、二酸化炭素、酸素、窒素であり、このような圧力気体５４は、皮膚呼吸以外に人為的に供給が行われると、人体は生化学的内部環境、体温、ｐＨ、浸透圧、酸素分圧、二酸化炭素分圧、血糖、その他の生化学物質の血中濃度などを自動で維持しようとする恒常性（ｈｏｍｅｏｓｔａｓｉｓ）活動を行う。
【００２０】
本発明は、圧力気体５４の恒常性（ｈｏｍｅｏｓｔａｓｉｓ）を利用して、皮膚活性化と共に活性化を通じた吸収力増加、抗酸化水素による抗酸化効果、美容液を迅速かつ効率的に皮膚などに伝達するものである。
【００２１】
水素は、強力な抗酸化物質で地球上に存在する最も小さい元素で無色、無味、微酔の気体である。水素（Ｈ２）分子は、細胞内移動が容易で、ミトコンドリアや核ＤＮＡの保護効果、抗炎症、抗アレルギー、抗アポトーシス作用、脂質代謝亢進作用などの生理作用に抗酸化作用をする。
【００２２】
二酸化炭素は、無色、無臭な気体で、人体に無害で圧力を加えると簡単に液化して水に溶けたのを炭酸といい、水に溶けて低い圧力と常温の環境変化に溶解度が落ちながら気化して揮発して皮膚を刺激し、水中では頭皮や皮膚に良い弱酸性を帯びる。また、頭皮や皮膚に吸収力が良く、人体の向上性を刺激して毛細血管に酸素を持つヘモグロビンの供給量が増えて酸素分圧増加で頭皮や皮膚を活性化させるのに皮膚の弾力改善、トラブル改善、美白効果と脂肪分解及びセルライト解体などの様々な効果が確認されている。
【００２３】
酸素は、無色、無臭な気体で、生命維持のためにはなくてはならない気体で、体中に入ってきた酸素は栄養分を燃やしてエネルギーを得ることができるようにして、血液中に溶けて体全体の生命維持に使われる。皮膚の弾力を維持するコラーゲン生成を助けて、老廃物と疲労物質の排出を促進して皮膚の美白と角質除去などの様々な用途に効果がある。
【００２４】
窒素は、無色、微臭、無味な気体であり、地球の大気の約７８％を占めていて地球生命体の構成成分である。常温で化学的に非活性で酸素や水素分子に比べて安定的に食品の鮮度を維持する役割を果す。通常の圧力気体として使用する。
【００２５】
前記圧力気体５４は、水素、二酸化炭素、酸素、窒素を少なくとも一つ以上混合して使って、美容液と共に皮膚などに対する効率が高まる。
【００２６】
前記容器５０には、美容液５２と圧力気体５４を外部に排出する排出管５６が備えられ、前記排出管５６を開閉する開閉部５８が備えられる。
【００２７】
前記開閉部５８は、一般的に使われるチェックバルブであり、この部分は公知技術に該当して詳細な説明は省略する。
【００２８】
図３に示したように、前記ヘッド部１０の下部には係止段２６が形成されて、前記ボディー部４０の上部には 係止部４２が形成されて、ヘッド部１０がボディー部４０に摺動できるように結合され、ヘッド部１０がボディー部４０の内側に摺動されると、前記開閉部５８が開かれるように構成される。図示しないが、前記開閉部を作動させるスイッチを備えてスイッチの作動によって開閉部を作動できる構造で構成してもよい。
【００２９】
また、前記ボディー部４０には、皮膚を刺激する振動を発生させる振動部６０が備えられ、前記振動部６０に電源を供給する電源部６２が備えられる。振動部６０は、多孔性パッド２０の全体または一部を振動させて皮膚などに刺激を与えることによって、血液循環を助けて吸収力を高める役割を果す。前記振動部６０に振動を加える方式は、音波振動方式と振動子方式が使用できて、振動強度を調整して皮膚部位別刺激を調節できるようにして、感触と便宜性を増大させることができる。
【００３０】
前記水素発生部１８は、美容液中の水分と反応して水素を発生させて美容液に抗酸化水素を溶存させる役割を果す。前記水素発生部１８は、粒子化されたり多孔性を有するフィルターまたは化合物などで構成されてもよく、Ｍｇ（マグネシウム）、ＭｇＯ（酸化マグネシウム）、ＭｇＯＨ（水酸化マグネシウム）、２Ａｌ＋Ｃａ（ＯＨ）２（アルミニウム＋水酸化カルシウム）のうち少なくとも一つ以上使われる。
【００３１】
前記水素発生部１８のマグネシウムが前記美容液の水分と反応して水素を作る分子式は下記の通りである。
【００３２】
Ｈ２Ｏ＋Ｍｇ→２Ｈ＋Ｍｇ（ＯＨ）２→Ｈ２＋Ｍｇ（ＯＨ）２
【００３３】
前記分子式のように、水分とマグネシウムは反応して水素とともに水酸化マグネシウム（Ｍｇ（ＯＨ）２）が生成される。水酸化マグネシウムも前記美容液と共に吐出されて、皮膚に作用する効能として、皮脂吸収、皮膚刺激減少、皮膚鎮静、毛穴収縮の役割を果す。
【００３４】
前記水素発生部１８の酸化マグネシウムが前記美容液の水分と反応して水素を作る反応式は下記の通りである。
【００３５】
Ｈ２Ｏ＋ＭｇＯ→２Ｈ＋Ｍｇ（ＯＨ）２→Ｈ２＋Ｍｇ（ＯＨ）２
【００３６】
前記水素発生部１８のアルミニウムと水酸化カルシウムが前記美容液の水分と反応して水素を作る反応式は下記の通りである。
【００３７】
Ｈ２Ｏ＋（２Ａｌ＋Ｃａ（ＯＨ）２）→３Ｈ２＋Ｃａ（ＡｌＯ２）２
【００３８】
尚、水素を含む美容液は、大きさが小さくて細胞の膜タンパク質を通過して、作用ができる特徴がある。本発明に係る水素発生部１８は、前記美容液中に含まれている水分を活用して水素を生成して皮膚と頭皮に作用する時、深く浸透して、作用できる長所がある。
【００３９】
前記水素発生部１８の下部には、容器５０から出る圧力気体５４と美容液に存在し得る異物をフィルターリングして、水素発生部１８全体に圧力を均等に分散するための圧力分散パッド１６が設置される。
【００４０】
前記多孔性パッド２０は、水素発生部１８の上部に設置されて圧力気体と水素溶存美容液が一側方向にだけ偏っていくトンネリング現象や部分的に寄るのを防止することで、美容液中の一定粘度を維持して液体と気体がパッドを抜け出す時バブリングさせて皮膚に適当な刺激を与える。
【００４１】
また、前記多孔性パッド２０は、内部に気体や液体が通過できる多数の気孔が形成されている。このような内外部の多くの迷路のような気孔があって、圧力気体と水素溶存美容液の通過時にバブリング現象が起きて、微細起泡を発生させて、微細起泡が皮膚を刺激させて、皮膚吸収をし安くする役割を果す。
【００４２】
前記多孔性パッド２０の内部気孔を通過する液体や気体の分圧を適切に分散させて、圧力気体と水素溶存美容液の圧力を適切に分散させる役割を果す。
【００４３】
また、前記多孔性パッド２０は、ポリオレフィン系樹脂、ポリエチレン樹脂、フッ素樹脂系の多孔性プラスチック、発泡プラスチック、多孔性金属、多孔性セラミック、ウレタンスポンジ、ＥＶＡスポンジ、多孔性テフロン、海綿スポンジ、製織プラスチック網、製織金属網、製織繊維、不織布、垂直に微細孔が多数設置された板などを使って、位置と形態に応じて単一または２種以上を組み合わせて構成する。
【００４４】
尚、前記多孔性パッド２０には必要に応じて微細突起２１を形成してもよい。前記微細突起２１を選択的に設置して、頭皮や皮膚に適切な刺激が与えられて、頭皮と皮膚の指圧効果で血液循環を助けて吸収力を一層高めることができる。
【００４５】
前記多孔性パッド２０の上部には、脱付着し易く設置されて、種々の汚染から多孔性パッド２０を保護して、頭皮、毛髪、皮膚との摩擦力を減らして、ユーザーが感じる感触を向上させる保護カバー２２が備えられる。
【００４６】
前記保護カバー２２は、本発明に係る美容器具を皮膚などに使用時に、汚染物に曝されるが、微細粉塵、皮脂、角質、化粧品、汚染などによる細菌繁殖、その他汚染成分によって多孔性パッド２０の外部が汚染したり詰まる現象を防止する役割を果す。
【００４７】
前記保護カバー２２は、多孔性パッド２０上部に備えられるので、多孔性パッド２０から発生する微細バブリングや微細振動をそのまま伝達すると同時に、頭皮、毛髪、皮膚との摩擦力を減らしてユーザーが感じる触感を向上させる。前記保護カバー２２は、選択的要素としてバンドや嵌める方式で着脱し易くして使用上の便利性を向上させて、保護カバー２２の表面は、形状とパターン、表面の粗さを調節して多様に形成してもよい。
【００４８】
前記保護カバー２２は、ポリオレフィン系樹脂、多孔性プラスチック、発泡プラスチック、多孔性セラミック、ウレタンスポンジ、ＥＶＡスポンジ、多孔性テフロン、海綿スポンジ、製織プラスチック網、製織金属網、製織繊維、不織布などを薄くてクッションのある形態で使って、位置と形態に応じて単一または２種以上を重ねたり組み合わせて使うことができる。
【００４９】
尚、殺菌、坑菌の役割を果す銀、白金、二酸化チタン、銅、無機系殺菌パウダーなどのコーティングまたは一体型で単一または２種以上を多孔性パッドや保護カバーに適用して、全体または一部を選択して多孔性パッド及び保護カバーの使用に信頼性を高めることができる。
【００５０】
前記密閉膜２４は、多孔性パッド２０を通過して皮膚に吸収し切れなかった水素含有美容液及び圧力気体が、皮膚に再吸収できるように抜け出ないようにする役割を果し、伸縮性を有するため使う時に表面感触を向上させて抗酸化美容液の皮膚の吸収力を高める。
【００５１】
また、前記密閉膜２４は、シリコン系、ウレタン系、多黄化物系、ジエン系、メチル系、汎用系、ブタジエン系、アクリルニトリルブタジエン系、エチレンプロピレン系、フルオロ系の合成ゴムまたは天然ゴムや、ポリオレフィン系、ポリエチレン、フッ素樹脂系のプラスチックを利用して製造することができ、１段ないし多段に構成して機密性を高めることができる。
【００５２】
また、図４は、本発明の好ましい実施形態に係る使用状態図を示した図面で、ユーザーが本発明に係る美容器具を顔に当てて押すと、ヘッド部がボディー部の内側に摺動しながら排出管の開閉部を開いて内蔵された圧力気体と美容液が排出され、ヘッド部の水素発生部を通過しながら美容液中の水分と反応して水素を発生させて皮膚に圧力気体、水素が溶存された美容液を供給する。エッジに密閉膜が備えられている関係で、美容液と気体が外部に流れたり抜け出なくなって、皮膚の吸収力を高める。
【００５３】
以上の説明は、本発明の技術思想を例示的に説明したことに過ぎず、本発明が属する技術分野で通常の知識を有する者であれば本発明の本質的な特性から逸脱しない範囲で多様な修正及び変形が可能である。したがって、本発明に開示された実施形態は、本発明の技術思想を限定するためのものではなく、説明のためのものであり、このような実施形態によって本発明の技術思想の範囲が限定されるのではない。本発明の保護範囲は、下記の請求範囲によって解釈されるべきで、これと同等な範囲内にあるすべての技術思想は、本発明の権利範囲に含まれると解釈されなければならない。
【符号の説明】
【００５４】
１０    ヘッド部
１２    排出口
１６    圧力分散パッド
１８    水素発生部
２０    多孔性パッド
２１    微細突起
２２    保護カバー
２４    密閉膜
２６    係止段
４０    ボディー部
４２    係止部
５０    容器
５２    美容液
５４    圧力気体
５６    排出管
５８    開閉部
６０    振動部
６２    電源部
１００  美容器具
【図１】
0006050547.tif 000002
【図２】
0006050547.tif 000003
【図３】
0006050547.tif 000004
【図４】
0006050547.tif 000005